(57)【特許請求の範囲】
【請求項１】
合成樹脂成形体又は金属成形体からなり、ドア本体と略同色同模様が施されているドア側縁部を覆うドア側縁部材であって、
前記ドア側縁部材はドア表覆部とドア側覆部とからなり、前記ドア表覆部の断面略中央部より楔形突条体が立設されてなり、
前記楔形突条体は付勢体からなり、該楔形突条体は支持体と、これに立設された２枚の独立分離した板状体と、該板状体の先方下端近傍に拘束体を係止しておく拘束体係止部を有し、
前記拘束体は拘束体係止部に嵌合した状態で係止されてなり、前記ドア本体には、楔形突条体が立設された対向位置において楔形突条体及び拘束体が係止する係止凹部が形成されてなり、
前記係止凹部は、楔形突条体の支持体が係止する支持体係止部と上部胴体内とリング状係止凹部と付勢体拡開部とからなることを特徴とするドア側縁部材。
【請求項２】
付勢体は板ばね又は形状記憶合金よりなる楔形突条体であることを特徴とする請求項１記載のドア側縁部材。
【請求項３】
係止凹部は、側面略逆台形の長尺の長方体の合成樹脂成形体又は金属成形体の胴体内部に形成されたものであることを特徴とする請求項１記載のドア側縁部材。
【発明の詳細な説明】
【０００１】
【発明の属する技術分野】
本発明は、着脱自在でドア本体７に確実係合できるドア側縁部材に関する。
【０００２】
【従来技術】
従来、ドア本体、特にクローゼット等のドア側縁部はドアの開閉の繰り返しにより、擦れたり、物をぶつけたりして損傷したり擦耗が激しいため、先行文献１に示すごとくドア側縁部材９を接着剤で貼着して補強すると共に、外観の向上を図っていた。
【０００３】
一方、先行文献１に記載され、図６及び図７に示すごとく、「ドア本体７に塩化ビニ−ル等の合成樹脂成形体からなるドア側縁部材９」が下記の方法により取り付けられる「ドア材側縁部の縁材」が提案されている。
【０００４】
前記従来の「ドア材側縁部の縁材」は、ドア本体７の表側を覆う表側部６と、ドア本体７の側面部を覆う側面側部５とにより構成されている。
【０００５】
そして、表側部６は、ドア本体７との間に一定の空洞部７０を介して設けてある。また、表側部６の断面中央部付近から楔形突条体９が立設されている。
該楔形突条体９は、ドア本体７の対応する位置に設けられた凹溝８に嵌合されて接着剤で固定されている。
【０００６】
なお、楔形突条体９は、図６及び図７に示すごとく、ドア本体７の表面の位置に、表側部６を支えて補強するための支え板９０がドア本体７の表面に沿って設けられている。
【０００７】
【先行文献１】
特開平０８−１５８７５３号公報
【０００８】
【課題が解決しようとする課題】
しかしながら、前記従来技術のいずれにおいても、ドア側縁部材９は接着剤により貼着固定されている。
そのため、ドア側縁部の縁材９に強い衝撃により大きな損傷を生じた場合には、新規なドア側縁部の縁材９と取り替えて、修復することが極めて困難である。
【０００９】
一方、ドア側縁部の縁材９を貼着固定する接着剤が老化したり、ドア側縁部の縁材９に対して強い衝撃があると、接着力の低下によりドア側縁部材９が脱落して、再度ドア側縁部の縁材９を取付け施工しなければならない煩わしさがあった。
【００１０】
そこで本発明は、前記従来の問題点に鑑みてなされたものであって、本発明が解決しようとする課題は、ドア側縁部の縁材９が接着剤の老化により脱落したり、必要に応じて損傷したドア側縁部材を新規なドア側縁部材に容易に取り替えることができる、着脱自在で確実係合が可能なドア側縁部材を提供することを目的とするものである。
【００１１】
【課題を解決するための手段】
前記課題を解決するため、本発明が採った手段は、下記の通りである。なお、本発明の内容をより具体的に説明するため、実施例において用いる図面の符号を付して以下説明する。
【００１２】
請求項１記載の発明が採った手段は、合成樹脂成形体又は金属成形体からなり、ドア本体７と略同色同模様が施されているドア側縁部７１を覆うドア側縁部材１であって、前記ドア側縁部材１はドア表覆部４１とドア側覆部４２とからなり、前記ドア側縁部材１の断面略中央部から楔形突条体１０が立設されてなり、前記楔形突条体１０は付勢体からなり、該付勢体は支持体１１とこれに立設された２枚の独立分離した板状体１２と、該板状体１２の先方下端近傍に拘束体１３を係止しておく拘束体係止部１２３を有し、前記拘束体１３は拘束体係止部１２３に嵌合した状態で係止されてなり、前記ドア本体７には、楔形突条体１０が立設された対向位置において楔形突条体１０の付勢体及び拘束体１３が係止する係止凹部２が形成されてなり、前記係止凹部２は楔形突条体１０の支持体１１が係止する支持体係止部２１と上部胴体内２２とリング状係止凹部２３が形成されてなり、前記係止凹部２は楔形突条体１０の支持体１１が係止する支持体係止部２１と上部胴体内２２とリング係止凹部２３とリング係止凹部２４とからなることを特徴とするドア側縁部材１を提供するものである。
【００１３】
これにより、請求項１に記載の手段によれば、付勢体の性質と、拘束体１３の作用効果により、ドア側縁部材１をドア本体７の係止凹部２より取り外して、必要に応じて着脱自在に旧前の楔形突条体１０を新規の楔形突条体１０に迅速容易に取り替えることができる。
【００１４】
請求項２に記載の発明が採った手段は、付勢体は板ばね又は形状記憶合金よりなることを特徴としている。これにより、楔形突条体１０の先方下端近傍の付勢体拡開部１２４は開いたり、閉じたりするため、拘束体１３の移動係止によって係止凹部２より着脱自在に取り付けや取り外しをすることができる。
【００１５】
請求項３に記載の発明が採った手段は、係止凹部２は側面略逆台形又は長尺の長方体の合成樹脂成形体または金属成形体の胴体内部に形成されたものであることを特徴とするドア側縁部材１を提供するものである。
【００１６】
これにより、ドア本体７のドア側縁部７１において、係止凹部２をきわめて迅速容易に形成することができる。
従って、請求項３の発明によれば、複雑な形状の係止凹部２であっても、合成樹脂成形体又は金属成形体の連続成形により、安価に大量生産でき、作業能率を向上することができる。
【００１７】
【発明の実施の形態】
本発明に係るドア側縁部材１は合成樹脂成形体又は金属成形体からなり、ドア本体７と略同色同模様が施されている。そのため、ドア本体７のドア側縁部においてドア側縁部材１がドア本体７とデザインや見栄えが良い。
【００１８】
また、ドア側縁部材１は、ドア表覆部４１とドア側覆部４２とからなり、ドア表覆部４１の断面略中央部から楔形突条体１が立設されている。これにより、この楔形突条体１０が２枚の板状体１２からなるため、ドア本体７のドア側縁部７１において着脱自在で確実係合なドア側縁部材１を得ることができる。
【００１９】
前記付勢体は、板ばね又は形状記憶合金よりなるリング係止凹部である。板ばねは弾性の高い鋼種で、製造工程において、熱処理されたものである。これには、鉄系と非鉄系のものがあり、ばね性能を発揮させるために、低温焼鈍或いは析出硬化処理されたものを有利に使用することができる。
【００２０】
一方、形状記憶合金は、２方向形状記憶効果を有するマルテンサイト状態で、形状が回復可能なものを有利に使用することができる。これには形状回復可能なひずみ以上に変形させたり、マルテンサイト状態で変形後、その形状を拘束して母相への変態を起こさせるものがある。
【００２１】
ここでドア側縁部材１を係止凹部２に係止嵌合する手順について説明する。
まず、楔形突条体１０の付勢体拡開部２４を、図１に示すごとく、（イ）の方向に指先で閉じる。
次に、この楔形突条体１０を図２及び図３に示すごとく、係止凹部２の上部胴体内２２内に挿入する。
【００２２】
そして、そのままの状態で、係止凹部２内に楔形突条体１０の全体をさらに係止凹部２の奥の方へ挿入する。
これにより、拘束体１３が拘束体係止部１２３から離脱して、係止凹部２のリング係止凹部２３内に嵌合されてリング状係止凹部する。
【００２３】
そのため、ドア側縁部材１は、図３に示すごとく、楔形突条体１０の支持体１１が、ドア本体７のドア側縁部７１に形成した支持体係止部２１内に着脱自在し係止される。この時付勢体拡開部２４が外側へ開く。
従って、本発明によれば、楔形突条体１０をドア本体７のドア側縁部７１において、迅速容易に取付けることができる。また、付勢体拡開部２４により係止凹部内に確実係合される。
【００２４】
一方、楔形突条体１０をドア本体７より取り外す場合は、楔形突条体１０を、図３に示すごとく、（ロ）の方向へ強く引き出すことにより、付勢体拡開部２４が閉じて拘束体１３が所定位置に係止することにより、図１に示す状態に迅速容易に元の状態に戻ることができる。
そのため、本発明によれば、着脱自在で確実係合なドア側縁部材１を得ることができる。
【００２５】
以下、本発明の好ましい実施例について、図面を参照しながら具体的に説明する。
なお、下記の実施例は、本発明の一態様であるため、本発明の技術的範囲は、これに制約されるものではない。
【００２６】
（実施例１）
本例のドア側縁部材１は、図４に示すごとく、合成樹脂成形体からなり、ドア本体７と略同色同模様が施されており、ドア側縁部７１を覆うものである。
前記ドア側縁部材１はドア表覆部４１とドア側覆部４１とからなり、ドア表覆部４１の断面略中央部より楔形突条体１０が接合されて立設されている。
【００２７】
前記楔形突条体１０は板ばねの付勢体からなり、該楔形突条体１０は支持体１１と、これに立設された２枚の板状体１２の中央分離部１２２において独立分離した板状体１２と、該板状体１１の先方下端近傍に拘束体１３を係止してく拘束体係止部１２３を有する。
【００２８】
そして、前記楔形突条体１０は、図１に示すごとく、支持体１１と、これに立設された２枚の独立分離した板状体１２と、該板状体１２の先方下端近傍に拘束体１３を係止してく拘束体係止部１２３を有する。
【００２９】
さらに、拘束体１３は拘束体係止部１２３に嵌合した状態で係止されてなり、前記ドア本体７には、楔形突条体１が立設された対向位置において楔形突条体１０の付勢体からなる板状体１２及び拘束体１３が係止する係止凹部２が形成されている。
【００３０】
前記係止凹部２は、図２に示すごとく、楔形突条体１０の支持体１１が係止する支持体係止部２１上部胴体内２２とリング係止凹部２３とリング係止凹部２４とにより構成されている。前記付勢体は板ばねよりなるため、付勢力が大きく、形状記憶合金に比較して安価である。
【００３１】
そして、ドア側縁部材１は、次の手順により、楔形突条体１０がドア本体７のドア側縁部７１に形成された係止凹部２内に嵌合されて係止される。
まず、ドア側縁部材１のリング状係止凹部２４を、図１に示すごとく、（イ）の方向に指先で閉じる。次に、楔形突条体１０を図２及び図３に示すごとく、係止凹部２の上部胴体内２２内に挿入する。
【００３２】
そして、このままの状態で、係止凹部２内に楔形突条体１０の全体をさらに係止凹部２の奥の方へ挿入する。これにより、拘束体１３が拘束体係止部１２３から離脱して、係止凹部２のリング状係止凹部２３内に嵌合されてリング係止凹部する。
【００３３】
そのため、ドア側縁部材１は、図３に示すごとく楔形突条体１０の支持体１１が、ドア本体７のドア側縁部７１に形成した支持体係止部２１内に着脱自在し係止される。この時リング係止凹部２４が外側へ開く。
従って、本例によれば、ドア側縁部材１をドア本体７のドア側縁部７１において、迅速容易に取り付けることができる。
【００３４】
一方、楔形突条体１０をドア本体７よび取り外す場合は、楔形突条体１０を、図３に示すごとく、（ロ）の方向へ強く引き出すことにより、リング係止凹部２４は（イ）方向に閉じて拘束体１３により、図１に示す元の状態に迅速容易に戻ることができる。そのため、本例によれば、着脱自在で確実係合な合成樹脂成形体製のドア側縁部材１を得ることができる。
（実施例２）
本例は、実施例１のドア側縁部材１を金属成形体により構成し、これに楔形突条１０を溶接立設し、このドア側縁部材１の表面にドア本体７と略同色同模様を施したものである。また、実施例１の係止凹部２に代えて、側面略逆台形の長尺の長方体の金属成形体により構成し、その胴体内部に図５に示すごとく、金属成形体からなる係止凹部２を形成したものである。
その他は、実施例１と同様に構成した。
【００３５】
【発明の効果】
本発明は、以上説明したごとく、請求項１〜請求項３に記載の手段を採用しているため、次に示す効果を発揮することできる。
【００３６】
請求項１に記載の発明によれば、付勢体の性質と、拘束体１３の作用効果によて、楔形突条体１０をドア本体１の係止凹部において、必要に応じて旧前の楔形突条体１０を新規の楔形突条体１０に迅速容易に取り替えることができる。
【００３７】
また、請求項２に記載の発明によれば、楔形突条体１の先方下端近傍のリング係止凹部１２４は開いたり、閉じたりするため、拘束体１３の作用効果によりドア側縁部７１で着脱自在にドア側縁部材１を取り付けたり、取り外すことができる。
一方請求項３に記載の発明によれば、ドア本体７のドア側縁部７１において、係止凹部２をドア本体７のドア側縁部７１に迅速容易に形成することができる。
【００３８】
従って、請求項３の発明によれば、複雑な形状の係止凹部２であっても、合成樹脂成形体又は金属成形体の連続成形により、安価に大量生産でき、作業能率を向上することができる。
【００３９】
以上のごとく、本発明によれば、着脱自在で確実係合なドア側縁部材１を、安価で大量生産可能で、作業能率良く製造することができる。
【図面の簡単な説明】
【図１】本発明に係る楔形突条体の斜視図である。
【図２】本発明のドア本体に形成した係止凹部の中央断面斜視図である。
【図３】本発明の楔形突条体を係止凹部に係止嵌合した状態を示す斜視図である。
【図４】本発明のドア本体にドア側縁部材を取り付けた状態を示す斜視図である。
【図５】本発明に係る係止凹部の他の態様を示す中央断面斜視図である。
【図６】従来例のドア本体にドア側縁部の縁材を取り付けた状態を示す斜視図である。
【図７】図５に示すドア側縁側部の縁材のＡ−Ａ部分の断面図である。
【符号の説明】
１    ドア側縁部材
１０  楔形突条体
１１  支持体
１２  板状体
１３  拘束体
２    係止凹部
２１  支持体係止部
２２  上部胴体内
２３  リング状係止凹部
２４  付勢体拡開部
４１  ドア表覆部
４２  ドア側覆部
７    ドア本体
７１  ドア側縁部
【図１】
0003635305.tif 000002
【図２】
0003635305.tif 000003
【図３】
0003635305.tif 000004
【図４】
0003635305.tif 000005
【図５】
0003635305.tif 000006
【図６】
0003635305.tif 000007
【図７】
0003635305.tif 000008